(57)【要約】【課題】  従来のゴルフクラブグリップでは、スイング中にクラブが抜けそうになることがあったりする等、そして安心感にも今一つ足りなかった。これはグリップの材料構成と色彩が均一なものであったからである。【解決手段】  ゴルフクラブ・グリップの材料構成を、それぞれ違う役目と握り方をする左手と右手に合わせ色彩も変えたグリップを提供するのである。【選択図】    図    １
2006026363.tif 000002
【特許請求の範囲】
【請求項１】
ゴルフクラブ・グリップ縦方向の正面側と後側の材料構成を変え色分けしたゴルフクラブ・グリップ。
【請求項２】
ゴルフクラブ・グリップ縦方向の左側と右側の材料構成を変え色分けしたゴルフクラブ・グリップ。
【請求項３】
ゴルフクラブ・グリップの材料で、材料構成の違う物同士をつなぎ合わせ構成したゴルフクラブ・グリップ。
【発明の詳細な説明】
【技術分野】
【０００１】  本発明は、ゴルフに使用するゴルフクラブ・グリップに関する。
【背景技術】
【０００２】  従来のゴルフクラブ・グリップには、シート状で模様及び色彩の結合したものを巻きつけるようにするものがある。（例えば意願文献１参照。）
また、ゴルフクラブ・グリップにラインを書き入れたものがある。（例えば意願文献２参照。）
そして、材料構成の違う物同士をつなぎあわせ構成したものは全く無かったのである。
【意願文献１】
意願昭３２−７３１０
【意願文献２】
意願２００３−３２６０５
【発明の開示】
【発明が解決しようとする課題】
【０００３】  以上に述べたゴルフクラブ・グリップでは、グリップ性が違う前側と後側そして左側と右側に対応した材料構成にしてなく、スイング中にクラブが抜けそうになることがある等安心感にも今一つ物足りなかったのである。【０００４】  本発明は、このような従来のグリップが有していた問題を解決しようとするものであり、グリップの実感を感じながら見た目と共に安心感を得ながらスイング出来ることを目的とするものである。
【課題を解決するための手段】
【０００５】  そして、本発明は上記目的を達成するためにゴルフクラブ・グリップ縦方向の正面側と後側の材料構成を変え色分けしたゴルフクラブ・グリップにしたものである。【０００６】  また、第２の課題解決手段は、ゴルフクラブ・グリップ縦方向の左側と右側の材料構成を変え色分けゴルフクラブ・グリップにしたものである。【０００７】  また第３の課題解決手段は、ゴルフクラブ・グリップの材料構成で、材料構成の違う物同士をつなぎ合わせ構成したゴルフクラブ・グリップにしたものである。【０００８】  上記第一の課題解決手段による作用は次の通りである。先ずは左手と右手の役目に違いがあるのでそれに合わせなければならないのである。即ち、グリップの肝心なところである後側に当たる片方の手の小指・薬指・中指の部分と、前側に当たるその手の親指ともう一方の手の中指・人差し指・親指の部分とはグリップ力と力の掛け方に違いがあるのである。特にスイング中の感じ方にも違いがあるのでそれに合わせるのである。そして見た目にも好みの色彩になりより安心感が生まれリラックスしてスイングができその効果が得られるものである。【０００９】  また、第２の課題解決手段による作用は次の通りである。グリップの肝心なところはやはり前述と同様であるものの、主に力の掛かる部分である指の腹の位置を見ればグリップの左側と右側に分かれているのである。グリップ力と力の掛け方の違いに合わせ見た目にも好みの色彩に合わせることにより、やはり安心感が生まれリラックスしてスイングができその効果が得られるのである。【００１０】  また、第３の課題解決手段による作用も前述のように、各所をグリップ力や力の掛け方に合わせるのである。そして同様の効果が得られるのである。
【発明の効果】
【００１１】  上述したように本発明のゴルフクラブ・グリップは、グリップしただけでも安心感がありその効果も発揮できるものであり、より充実したスイングが得られるのである。
【発明を実施するための最良の形態】
【００１２】  以下、本発明の実施の形態を図１〜図１６に基づいて説明する。【００１３】  図においては、パターのグリップで、パター前側１とパター後側２から成るもので、材料構成と色彩も違うものである。【００１４】  また、円形グリップで円形前側３と円形後側４から成るもので、材料構成と色彩も違うものである。【００１５】  そして、パターのグリップで、パター左側５とパター右側６から成るもので、材料構成と色彩も違うものである。【００１６】  また、円形グリップで円形左側７と円形右側８から成るもので、材料構成と色彩も違うものである。【００１７】  以下、上記構成の動作を説明する。パターグリップのパター前側１とパター後側２との材料構成と色彩を変えることによって、後側の握り感と前側の押え感を別々に感じることができるので、ストロークし易い方をリード役に意識すればよいのである。また、色彩も好みの色彩にすることによりよりリラックスしてストロークができるのである。
パターグリップのパター左側５とパター右側６との材料構成と色彩を変えたものも同様のものとしてストロークができるのである。【００１８】  また、円形グリップの円形前側３と円形後側４との材料構成と色彩を変えることによって、例えば右利きの方は円形後側４の材料構成と色彩を左手の役目に合ったものにし、円形前側３の材料構成と色彩を右手の役目に合ったものにするのである。両手の握り感がよりしっくりしリラックスしてスムーズなスイングができるのである。
円形グリップの円形左側７と円形右側８との材料構成と色彩を変えたものも同様のものとしてストロークできるのである。
【図面の簡単な説明】
【００１９】
【図１】  本発明の実施の形態を示すパターグリップの正面図
【図２】  同パターグリップの側面図
【図３】  同パターグリップの上面図
【図４】  同パターグリップの下面図
【図５】  同円形グリップの正面図
【図６】  同円形グリップの側面図
【図７】  同円形グリップの上面図
【図８】  同円形グリップの下面図
【図９】  同パターグリップの一実施例の正面図
【図１０】  同パターグリップの一実施例の側面図
【図１１】  同パターグリップの一実施例の上面図
【図１２】  同パターグリップの一実施例の下面図
【図１３】  同円形グリップの一実施例の正面図
【図１４】  同円形グリップの一実施例の側面図
【図１５】  同円形グリップの一実施例の上面図
【図１６】  同円形グリップの一実施例の下面図
【符号の説明】
１    パター前側
２    パター後側
３    円形前側
４    円形後側
５    パター左側
６    パター右側
７    円形左側
８    円形右側
【図１】
2006026363.tif 000003
【図２】
2006026363.tif 000004
【図３】
2006026363.tif 000005
【図４】
2006026363.tif 000006
【図５】
2006026363.tif 000007
【図６】
2006026363.tif 000008
【図７】
2006026363.tif 000009
【図８】
2006026363.tif 000010
【図９】
2006026363.tif 000011
【図１０】
2006026363.tif 000012
【図１１】
2006026363.tif 000013
【図１２】
2006026363.tif 000014
【図１３】
2006026363.tif 000015
【図１４】
2006026363.tif 000016
【図１５】
2006026363.tif 000017
【図１６】
2006026363.tif 000018